(57)【要約】  磁気活水カップを提供する。カップを開閉する開蓋と、該カップの中心に形成される突出管と、前記突出管に嵌着される細長いロッド形状の永久磁石とを含む。複数の磁石埋め込み溝が該カップの壁に一定の間隔で形成され、前記磁石埋め込み溝のそれぞれには、永久磁石、磁力遮断カバー、及びシールプレートが順に固定される。こうして、磁石２及び３によって生じる磁力線は、該磁気活水カップ内に入れられた水に対して均一に作用して、水の磁化率を向上させる。
2008526475.tif 000002
【特許請求の範囲】
【請求項１】
磁気活水カップの構造であって、磁気活水カップは下記を含む。
該カップを開閉する開蓋と、
該カップの中心に形成される突出管と、
前記突出管に嵌着される細長いロッド形状の永久磁石。
ここで、複数の磁石埋め込み溝が該カップの壁に一定の間隔で形成され、前記磁石埋め込み溝のそれぞれには、永久磁石、磁力遮断カバー、及びシールプレートが順に固定される。
【発明の詳細な説明】
【技術分野】
【０００１】
本発明はカップに関するものであり、より具体的には、飲用水を人体に有用な磁気活水に変える磁気活水カップの構造に関するものである。さらに、本発明は、本発明と同一の出願人による韓国実用新案登録第９１２３０号で開示されているカップを改良してなるものである。
【背景技術】
【０００２】
永久磁石の磁力によって磁化された活水が人体に吸収されると、活発な血液循環によって代謝が促進されるため、内分泌機能を強化するばかりでなく、便秘や肥満などの疾患の治癒及び予防にも著しく優れた効果があることは広く知られている。韓国実用新案登録第９１２３０号で開示されているカップの場合、一対のカラム形状の突出室または単一の突出室が、容器の底部から上部に垂直に高く形成されており、細長いロッド形状の永久磁石が前記突出室の内部に嵌装されているが、結果として得られる磁化率は優れていない。
【０００３】
また、異なる極性を有する磁石が、所定形状のカップ容器の壁上に互いから１５ｍｍ〜３０ｍｍの距離を隔てた上下位置に設置され、前記磁石の異なる極性が互いに向き合うことができるようになっており、また、水の凝固点よりも低い凝固点を有する潜熱媒体を荷電するために、媒体貯蔵チャンバが前記カップ容器の壁に形成されている。その一方、所定の長さの延長ロッドは、前記カップ容器の上部開口部を覆うことができるカップ蓋の下面の中心に形成されて前記延長ロッドが前記カップ容器の内部中心部に下向きに位置できるようになっており、いくつかの磁石が１５ｍｍ〜３０ｍｍの間隔で前記延長ロッド内に上下に設置され、前記延長ロッド内の磁石の極性は、前記カップ容器の壁に面する磁石の極性と異なっている。
【０００４】
従来型磁気活水カップは韓国実用新案登録第２０-０２８３１９２号で開示されている。しかしながら、従来型磁気活水カップは、そのカップ内の水を均一に磁化することができない。その理由は、低温の潜熱媒体で満たされる媒体貯蔵チャンバ内に２つの設置溝が壁上に向かい合って形成され、前記２つの設置溝のそれぞれに磁石が固定され、次いで磁石が埋め込まれている延長ロッドがカップ蓋の中央部分に形成されているためである。さらに、利用者が前記カップ内の水を飲むために前記カップ蓋を開ける際に、前記カップ蓋上の、前記磁石が埋め込まれた前記延長ロッドが水の外側に置かれてしまう。
【０００５】
よって、磁化率も急激に減少してしまう。
【０００６】
その結果、前記磁気活水カップは、利用者に磁気活水を供給するカップとして機能しない。
【発明の開示】
【発明が解決しようとする課題】
【０００７】
上記問題点を解決するため、本発明と同一の出願人による韓国実用新案登録第９１２３０号で開示されているカップを改善することにより、磁化率が向上された磁気活水カップの構造を提供することが本発明の目的である。
【課題を解決するための手段】
【０００８】
上記本発明の目的を達成するため、本発明の態様によれば、磁気活水カップの構造が提供される。磁気活水カップは下記を含む。カップ（１）を開閉する開蓋（６）と、該カップ（１）の中心に形成される突出管（１Ａ）と、前記突出管（１Ａ）に嵌着される細長いロッド形状の永久磁石（２）。ここで、複数の磁石埋め込み溝（１０１）が該カップ（１）の壁に一定の間隔で形成され、永久磁石（３）、磁力遮断カバー（４）及びシールプレート（５）が順に前記磁石埋め込み溝（１０１）のそれぞれに固定される。
【０００９】
本発明の上記及びその他の目的と利点は、下記の添付図面を参照して、本発明の好適な実施形態を詳細に説明することによって、より明確になるであろう。
【発明を実施するための最良の形態】
【００１０】
以下に、本発明に係る磁気活水カップの構造を添付図面を参照して説明する。
【００１１】
図１及び図２によれば、本発明に係る磁気活水カップには、該カップ１を開閉する開蓋６と、該カップ１の中心に形成される突出管１Ａと、前記突出管１Ａに嵌着される細長いロッド形状の永久磁石２とが含まれる。こで、該磁気活水カップにおいて、磁石埋め込み溝１０１が該カップ１の壁に一定の間隔で形成されるものである。この実施形態では、６つの磁石埋め込み溝１０１が該カップ１の壁に形成される。また、前記磁石埋め込み溝１０１のそれぞれには、永久磁石３、磁力遮断カバー４、及びシールプレート５が順に固定される。つまり、前記磁石３の５面を囲む前記磁力遮断カバー４は前記シールプレート５上に形成されているので、前記磁石３から生じる磁力線は、前記磁力遮断カバー４によって囲まれていない前記磁石３の１面を介して放出される。また、図２に示すように、前記磁石２及び３は、それぞれ異なる極性と対立して互いに向き合うように配置される。よって、該磁気活水カップ１は、その中に入れられた飲料水を均一に磁化する。前記磁力遮断カバー４は主に非鉄金属製であるが、磁力線を遮断することができる材料ならば、前記非鉄金属以外の材料を前記磁力遮断カバー４に使用してもよい。
【００１２】
ここで、前記シールプレート５は、該カップ１の壁内に主に接着手段によって取り付けられる。参照番号７は、利用者が該カップ１を保持できるハンドルを示す。
【００１３】
かくして、飲用水が本発明に係るカップ１に入れられると、その水は、該カップ１の壁に埋め込まれた前記磁石３と、前記突出管１Ａに嵌着される前記磁石２とによって生じる磁力線によって磁化される。水が磁化される原理は、前記韓国実用新案登録第９１２３０号で開示されているカップなどの従来型磁気活水カップの原理と同一であり、その詳細な説明は本出願明細書では省略する。
【００１４】
上記のように、本発明に係る磁気活水カップの磁化率は飲水過程ですら低下することがない。その理由は、磁石がその蓋部内にのみ固定されている従来型磁気活水カップとは異なり、前記永久磁石２が該カップ１の中央部分に配設されているからである。
【００１５】
また、６個の磁石が埋め込まれた前記溝１０１も該カップ１の壁に一定の間隔で形成され、次いで、永久磁石３も該カップ１の壁に埋め込まれる。よって、前記磁石２及び３によって生じる磁力線は、該磁気活水カップ１内に入れられた水に対して均一に作用して、水の磁化率を向上させる。
【００１６】
上記のように、前記突出管１Ａに嵌着される前記磁石２は細長いロッド形状の永久磁石である。また、６個の前記永久磁石３も、該カップ１の壁内に沿って一定の間隔で埋め込まれる。結果として、水の磁化率を向上させることができる。
【００１７】
上記のように、本発明は、特に好適な実施形態に関して説明されているが、本発明は上記実施形態に限定されるものではなく、当業者であれば、本発明の真の趣旨から逸脱することなしに、種々の変更や変形が可能である。よって、本発明の保護性範囲は、その詳細説明によって規定されるものではなく、以降に記載する特許請求の範囲及び本発明の技術の趣旨によって規定されるものである。
【産業上の利用可能性】
【００１８】
上記のように、本発明は、水を磁気活水に変えるとともに、利用者が人体に有用な磁気活水を飲用することを可能にする磁気活水カップを提供する。
【図面の簡単な説明】
【００１９】
【図１】本発明に係る磁気活水カップの構造を示す垂直断面図。
【図２】図１の該磁気活水カップを示す水平断面図。
【図１】
2008526475.tif 000003
【図２】
2008526475.tif 000004
【国際調査報告】
2008526475.tif 000005
2008526475.tif 000006